(57)【要約】      （修正有）【課題】燃料アルコールの気化効率を高めて高火力と安定燃焼を図るとともに、コンパクトに収納できるアルコールコンロを提供する。【解決手段】該コンロは、燃焼器Ａと燃焼促進網Ｂ、台円筒体Ｃ並びに外円筒体Ｄの四つの部材で構成する。台円筒体Ｃの下方周壁には、複数の貫通孔２２が穿設されるとともに、円中心方向に向け突出片を備えた載置具を複数個備える。外円筒体Ｄの一方端縁寄りに複数の貫通孔３２が穿設し、他方端縁寄りの内壁には、短切り込みと長切り込みを呈する形で内壁と間隔を設け、円中心方向に向けて突出片３４を備えた固定具３３を複数個備える。さらに、前記台円筒体Ｃの端縁部を、該外円筒体Ｄに備えられた突出片３４の切り込み状を呈する内壁との間隔に嵌め込んで、台円筒体Ｃと外円筒体Ｄを着脱自在に組み込み形成する。また、燃焼促進網Ｂの本体は複数の貫通孔が穿設されていて、外円筒体Ｄの内壁に備えられた固定具３３の突出片３４に載置される。【選択図】図１０
0003155036.tif 000002
【実用新案登録請求の範囲】
【請求項１】
燃焼器Ａと燃焼促進網Ｂ、台円筒体Ｃ並びに外円筒体Ｄの四つの部材から構成される主として液体アルコールを燃料とするコンロであって、
本体２１の下方周壁には、複数の貫通孔２２が穿設されるとともに、円中心方向に向け突出片２３を備えた載置具２４を複数個備えた台円筒体Ｃと、
本体３１の一方端縁寄りに複数の貫通孔３２が穿設されるとともに、他方端縁寄りの内壁には、短切り込みＫと長切り込みＬを呈する形で内壁と間隔を有し、円中心方向に向けて突出片３４を備えた固定具３３を複数個備えた外円筒体Ｄと、
前記台円筒体Ｃの端縁部を、該外円筒体Ｄに備えられた突出片３４の切り込み状を呈する内壁との間隔に嵌め込んで、台円筒体Ｃと外円筒体Ｄを着脱自在に組み込み形成したことを特徴とするアルコールコンロ。
【請求項２】
燃焼促進網Ｂの本体１１は複数の貫通孔１２が穿設されていて、外円筒体Ｄの内壁に備えられた固定具３３の突出片３４に載置されることを特徴とする請求項１記載のアルコールコンロ。
【請求項３】
構成部材の燃焼器Ａ燃焼促進網Ｂ台円筒体Ｃ並びに外円筒体Ｄは、チタンで作られたことを特徴とする請求項１記載のアルコールコンロ。
【考案の詳細な説明】
【技術分野】
【０００１】  本考案は主として液体アルコールを燃料とするコンロの改良に関するもので、特に燃料アルコールの気化効率を高めて高火力と安定燃焼を図るとともに、コンパクトに収納でき携行の利便性をも向上させたものである。
【背景技術】
【０００２】  野外炊飯用や非常用コンロとして液体アルコールコンロが多用されていた昭和４５年から６０年頃までは、例えば特開昭４９−３２２７や実開昭５１−７４０７７、実開昭５２−８３８７２や実開昭５６−１２６００５など多くの考案・発明が文献の中に見出される。しかしながら、液化ブタンガスなどを燃料とする携帯用のガスコンロが多く利用されるようになった上記年代以降は、アルコールコンロに関する考案などの文献を見かける機会に遭遇していない。
そんな中にあって、登山やハイキングをグループよりも個人で楽しむ人が多くなったこともあり、小型で安価で且つ安全性が高く軽便性に富む液体アルコールを燃料とするコンロが再認識されて来ている。【０００３】  アルコールコンロから来るイメージは、「火力が弱く、湯を沸かすのも煮炊きするのも時間が掛かりすぎる。」と言うものであったがため、次第に敬遠されだしたことが姿を見かけなくなった主要な要因の一つと言われている。
然しながら最近は、登山やハイキングを個人で楽しむ人が多くなってきているばかりでなく、特に、これらを趣味とする中高年の方々が増えたこともあり、操作が容易で且つ安全性が高く、その上、空きボンベ等のごみが出ないエコで軽量、小型で軽便性に富みその上、火力が強く炊飯時間を短縮したアルコールコンロの改良品の登場を求める声が日増しに強くなって来ている。
【考案の開示】
【考案が解決しようとする課題】
【０００４】  出願人は先に、高い火力と安定燃焼を図り「火力が弱く、湯を沸かすのも煮炊きするのも時間が掛かりすぎる。」と言う過去のイメージを払拭するするとともに、操作が容易で且つ安全性が高くしかも小型で軽量なアルコールコンロを考案して製品化を図り高い評価を得ている。
そこで、より良き商品の提供志向から、先願の燃焼器より一層の燃焼効率を図るとともに、一段と高い火力と安定燃焼を得ることができ、その上、コンパクトに収納可能として携行の利便性を向上させた主として液体アルコール燃料とするコンロを提供しようとするものである。
【課題を解決するための手段】
【０００５】  上記目的を達成するため本考案は、以下の手段で課題を解決する手段としている。
即ち、燃焼器Ａと燃焼促進網Ｂ、台円筒体Ｃ並びに外円筒体Ｄの四つの部材から構成される主として液体アルコールを燃料とするコンロであって、
本体２１の下方周壁には、複数の貫通孔２２が穿設されるとともに、円中心方向に向け突出片２３を備えた載置具２４を複数個備えた台円筒体Ｃと、
本体３１の一方端縁寄りに複数の貫通孔３２が穿設されるとともに、他方端縁寄りの内壁には、短切り込みＫと長切り込みＬを呈する形で内壁と間隔を有し、円中心方向に向けて突出片３４を備えた固定具３３を複数個備えた外円筒体Ｄと、
前記台円筒体Ｃの端縁部を、該外円筒体Ｄに備えられた突出片３４の切り込み状を呈する内壁との間隔に嵌め込んで、台円筒体Ｃと外円筒体Ｄを着脱自在に組み込み形成したことを特徴とするものである。【０００６】  また、燃焼促進網Ｂの本体１１は複数の貫通孔１２が穿設されていて、外円筒体Ｄの内壁に備えられた固定具３３の突出片３４に載置されること特徴とし、更に、構成部材の燃焼器Ａ燃焼促進網Ｂ台円筒体Ｃ並びに外円筒体Ｄは、チタンで作られ軽量化も図られている。
【考案の効果】
【０００７】  本考案のアルコールコンロは、前記の構成を有するものであるから以下の効果を奏する。
（１）携行時において、外円筒体Ｄは台円筒体Ｃの外側に嵌合されていて、本体３１の上方内壁に設けられた固定具３３の突出片３４の符号Ｌ部の長切込み状を呈する内壁との間隔部に、前記台円筒体Ｃの本体２１の上端縁が食い込み、台円筒体Ｃと外円筒体Ｄは一体を形成する。つまり、燃焼時と比べ全体的に高さが低くなり、コンパクトに収まるので携行に利便性が高まる。
このことは、固定具３３が複数個備えられていることで、複数個所で食い込み現象が行われるので外円筒体Ｄに収まった台円筒体Ｃが離脱する事は無い。【０００８】（２）一方燃焼時は、外円筒体Ｄは台円筒体Ｃの外側に嵌合されていて、本体３１の一方端縁内壁に設けられた固定具３３の突出片３４の符号Ｋ部の短切込み状を呈する内壁との間隔部に、前記台円筒体Ｃ本体２１の端縁が食い込み、台円筒体Ｃと外円筒体Ｄは連結一体を形成する。つまり、携行時と比べ全体的に高さが高くなり、燃焼器Ａの燃焼炎と外円筒体Ｄの上端縁に載置された炊飯用鍋とは概ね５５ｍｍ程度となり、アルコールを燃料とするコンロとしては最も理想的な火力位置関係となり熱効力が向上する。つまり、液体アルコールが燃焼する現象は気体の状態である事から燃焼を促進させるには気体に変えることが重要となっている。
また、固定具３３が複数個備えられていることで、複数の個所で食い込み現象が行われるので外円筒体Ｄに嵌めこまれ収まった台円筒体Ｃが離脱する事は無い。【０００９】（３）台円筒体Ｃ本体２１の下方周壁には複数の貫通孔２２が穿設されていて、この孔２２から空気が取り込まれ、この空気が温められて上昇することで燃焼促進と安定燃焼の効果を果たしているばかりでなく、燃焼時においては、外円筒体Ｄの周壁に穿設された複数の貫通孔３２は上部に位置するので、端縁に載置される炊飯鍋の底部から包み込むが如く前記孔から燃焼炎が噴出し炊飯時間の短縮の効果を奏する。【００１０】（４）ここで特筆すべきは燃焼促進網Ｂの効果である。平板状の何の変哲も無く、本体のほぼ全体に亘り複数の貫通孔２２が穿設されているこの部材の効果は絶大で、燃焼時に燃焼器の概ね３５ｍｍ程度上方の固定具３３の突出片３４に載置使用されたとき、沸騰までの所要時間に、網を使用しないときとの比で約１０％の短縮効果が実験で確認されている。
その上、この燃焼促進網Ｂを含め燃焼器Ａ、台円筒体Ｃ並びに外円筒対Ｄの四つの部材の構成部材はチタンで作られているので軽量であるため、中高年の登山者にも最適なものとなっている。
【考案を実施するための最良の形態】
【００１１】  本考案のアルコールコンロは、燃焼器Ａ、燃焼促進網Ｂ、台円筒体Ｃ並びに外円筒対Ｄの何れもチタンから成る四つの部材から構成され、第一の部材燃焼器Ａは、底面は平らな形状に形成された略お椀状を呈する容量が８０〜１３０ｍｌ程度の燃料タンク４容器で燃焼器本体１を形成しており、該本体１には燃焼炎噴出口を下段燃焼部２と上部燃焼部３の二段に有し形成している。【００１２】  第二の部材燃焼促進網Ｂは、円平板状の本体１１のほぼ全体にわたり燃焼炎噴出口となる貫通孔１２が複数穿設されており、後記外円筒体Ｄ内壁に備えられた固定具３３の突出片３４に載置される形で収まる形状を呈している。【００１３】  第三の部材の台円筒体Ｃは、直径が８０ｍｍ前後で高さが５５ｍｍ前後の円筒状を呈する筒体で、燃焼時も携行時もこの筒体内に前記燃焼器Ａが納められていて、該台円筒体Ｃの本体２１の周壁下方には空気採り入れの貫通孔２２が複数穿設されており、且つ円中心方向に向っている突出片２３を備えた載置具２４を複数個有している。【００１４】  第四の部材は外円筒体Ｄで、直径が８３ｍｍ前後で高さが６０ｍｍ前後の円筒状を呈する筒体で、燃焼時も携行時も燃焼器Ａが納められた台円筒体Ｃが収められる形で嵌合されるものであって、本体３１の一方端縁寄りの周壁には空気採り入れの貫通孔３２が複数穿設されており、該孔３２の反対方向端縁寄りの内壁には複数の固定具３３が設けられる。【００１５】  この固定具３３は、前記貫通孔３２が穿設されているのとは逆方向の端縁寄りの本体３１の内壁に一体的に設けられ、円中心方向に向いた長板状を呈する突出片３４を有するとともに、上方は符号Ｋの短い、下方は符Ｌの長い切り込み状の間隔を内壁との間に有して設けられ、この符号Ｋの短い込み状の内壁との間隔に、前記符号Ｃの台円筒体の本体２１の上端縁が嵌め込まれたとき、前記貫通孔３２は上方に位置する図８を呈し、台円枠筒体Ｃと外円筒体Ｄの組み込みは図９，１０状態の燃焼時を表している。【００１６】  一方、符号Ｌの長い込み状の内壁との間隔に、前記符号Ｃの台円筒体の本体２１の上端縁がはめ込まれたとき、台円筒体Ｃと外円筒体Ｄの全体的な高さは燃焼時よりも低くなり、図１１，１２状態の携行時状態を呈している。上記説明の燃焼時も携行時でも、燃焼促進網Ｂは外円筒体Ｄ内壁に設けられた固定具３３の突出片３４上部に載置される。
【実施例】
【００１７】  図面に示す実施例に基づき本考案を説明すると、本考案のアルコールコンロは、図１の燃焼器Ａと図２の燃焼促進網Ｂ、図３の台円筒体枠Ｃ並びに図６の外円筒体Ｄの主要な四つの部材から構成され、軽量化のため何れの部材もチタンから作られていて、図１の燃焼器Ａは、底面は平らな形状で、略お椀状を呈する容量が８０〜１３０ｍｌ程度の燃料タンク４で本体１を形成しており、この本体１に、燃焼炎噴出口を下段燃焼部２と上部燃焼部３の二段に有している。【００１８】  図２に示した燃焼促進網Ｂは、燃焼時にその効果を大いに発揮してくれる部材で、平板状を呈していて本体１１のほぼ全体にわたり燃焼炎噴出口となる貫通孔１２が複数穿設されており、後記外円筒体Ｄの内壁に設けられた固定具３３の突出片３４の上方に載置されて収まる形状を呈している。【００１９】  図３に符号Ｃで示した台円筒体は、直径が８０ｍｍ前後で高さが５５ｍｍ前後の円筒状を呈する筒体で、燃焼時も携行時も該筒体内に前記燃焼器Ａが納められるもので、該筒体の本体２１の周壁下方には空気採り入れの貫通孔２２が複数穿設されており、且つ円の中心方向に向いている突出片２３を備えた載置具２４が、前記貫通孔の周辺内壁に複数個設けられている。【００２０】  図４は、前記説明の符号Ｃの台円筒体に燃焼器Ａが納められた状態を示したもので、図５は図４の底面状態を斜視図で説明するものであり、燃焼器Ａの底面は載置具２４の突出片２３に載置され安定した状態で収まっている。この状態が保持される限り屋外での使用も安全性は確保され、がたつき無く携行でき且つ安定した燃焼が確保される。【００２１】  図６は、本考案において重要な役目を負う直径が８３ｍｍ前後で高さが６０ｍｍ前後の円筒状を呈する外円筒体Ｄを説明するもので、本体３１の周壁の一方端寄りには、燃焼促進用の炎噴出用の貫通孔３２が複数穿設されており、一方、該孔３２の反対方向の端縁寄りの内壁には、複数の固定具３３が設けられ、この外円筒体Ｄには、燃焼時も携行時も常時燃焼器Ａが納められた台円枠体Ｃが内部に収められる形で嵌合されるものであって、炊飯時における鍋は該外円筒体Ｄ本体の端円縁に載置される。【００２２】  図７で説明する固定具３３は、外円筒体Ｄにおいて、前記貫通孔３２が穿設されているのとは逆側の端縁寄りの本体３１の内壁に一体的に設けられており、円中心方向に向いた長板状を呈する突出片３４を有するとともに、上方は符号Ｋの短い、下方は符号Ｌの長い切り込み状の間隔を内壁との間に有して設けられる。
この符号Ｋの短い切り込み状の内壁との間隔に、前記符号Ｃの台円筒体の本体２１の上端縁が嵌め込まれたとき、台円筒体Ｃと外円筒体Ｄの組み込みは燃焼時を呈し、符号Ｌの長い切り込み状の内壁との間隔に、前記符号Ｃの台円筒体の本体２１の上端縁がはめ込まれたとき、台円筒体Ｃと外円筒体Ｄの組み込みは携行時を示している。【００２３】  即ち、図８で示したように、燃焼促進用の炎噴出用の貫通孔３２が上部に位置するときは、図９と図１０で説明するように、符号Ｋの短い切り込み状の内壁との間隔に台円筒体Ｃの上端縁がはめ込まれたときで、全体的な高さが高くなり理想的な燃焼状態を形成する。【００２４】  一方、符号Ｌの長い込み状の内壁との間隔に、前記台円筒体Ｃの上端縁がはめ込まれたときは、図１１と図１２で説明のように、台円筒体Ｃと外円筒体Ｄの組み込みの全体的な高さは低くコンパクトになり、携行時の状態を呈している。尚、上記説明の燃焼時も携行時でも、燃焼促進網Ｂは外円筒体Ｄ内壁に設けられた固定具３３の突出片３４上部に載置される。【００２５】  以上図示した何れの実施例も液体アルコールを燃料としてのケースを説明しているが、固形燃料を用いるケースでも本考案は基本的な点で同様な作用効果を得ることが出来る。
即ち、燃焼器Ａを液体用から皿状の固形燃料を載置する部材を備えた燃焼器に変え（図示省略）、他の構成部材は同様品とすることで変更する事で可能となる。
【産業上の利用可能性】
【００２６】  本考案のアルコールコンロは、燃焼器Ａ、燃焼促進網Ｂ、台円筒体Ｃ並びに外円筒体Ｄの主要な四つの部材から構成され、何れもチタンから形成され、軽量で且つ安全性が高く、その上、燃焼促進網の採用や、炊飯時は燃焼器と炊飯鍋との高さ位置を携行時と変更する事で最適な位置関係を得ることができ、燃料アルコールの気化効率を一段と高めて高火力と安定燃焼を図ることができるもので、このことは従来のアルコールコンロでは得る事のできない効果を奏し、且つ燃焼器のみを液体用から固形用のものに変更するだけで固形のアルコール燃料でも使用可能となるばかりで無く、此れと言って製造上問題となる点も無いことから産業上の利用可能性は頗る高い。
【図面の簡単な説明】
【００２７】
【図１】本考案の構成部材、燃焼器Ａを説明する図である。
【図２】本考案の構成部材、燃焼促進網Ｂを説明する図である。
【図３】本考案の構成部材、台円筒体Ｃを説明する図である。
【図４】図３の台円筒体Ｃに、図１の燃焼器Ａを納めた状態を説明する図である。
【図５】図４の底面状態を、斜視図で説明する図である。
【図６】本考案の構成部材、外円筒体Ｄを説明する図である。
【図７】図６の外円筒体Ｄの要部を説明する図である。
【図８】図６の外円筒体Ｄを天地逆にし、使用時の状態を説明する図である。
【図９】本考案の燃焼使用時の状態を上方から斜視図で説明する図である。
【図１０】図９の燃焼使用時の状態を断面で説明する図である。
【図１１】本考案の携行時の状態を上方から斜視図で説明する図である。
【図１２】図１１の携行時の状態を断面で説明する図である。
【符号の説明】
【００２８】Ａ燃焼器        １本体      ２下段燃焼部    ３上段燃焼部    ４燃焼タンク
Ｂ燃焼促進網    １１本体    １２孔
Ｃ台円筒体        ２１本体    ２２孔      ２３突出片  ２４載置台
Ｄ外円筒体        ３１本体    ３２孔      ３３固定具  ３４突出片
Ｋ短切り込み    Ｌ長切込み
【図１】
0003155036.tif 000003
【図２】
0003155036.tif 000004
【図３】
0003155036.tif 000005
【図４】
0003155036.tif 000006
【図５】
0003155036.tif 000007
【図６】
0003155036.tif 000008
【図７】
0003155036.tif 000009
【図８】
0003155036.tif 000010
【図９】
0003155036.tif 000011
【図１０】
0003155036.tif 000012
【図１１】
0003155036.tif 000013
【図１２】
0003155036.tif 000014